(57)【要約】      （修正有）【課題】クラックの発生を予防すると共に、大きな衝撃により、デッキ面にクラックが発生しても海水が入り込むのを防止するサーフボードデッキ面用保護フィルムおよびサーフボードデッキ面用保護フィルムの貼付方法を提供する。【解決手段】サーフボードのデッキ面のクラックを予防する保護フィルム１であって、フィルム本体２の裏面に貼付面を設けると共に、フィルム本体２をサーフボードの形状に加工してなる。サーフボードのデッキ面の汚れを落とす汚れ除去工程と、デッキ面に水を吹き付け、カットされたフィルム本体２をサーフボードのデッキ面の所要位置に仮止する仮止工程と、仮り止めされたフィルム本体２をヘラで伸ばして固着する貼付工程とからなることを特徴とするサーフボードデッキ面用保護フィルムの貼付方法。【選択図】図１
2013071727.tif 000002
【特許請求の範囲】
【請求項１】
サーフボードのデッキ面のクラックを予防する保護フィルムであって、フィルム本体の裏面に貼付面を設けると共に、フィルム本体をサーフボードの形状に加工してなることを特徴とするサーフボードデッキ面用保護フィルム。
【請求項２】
サーフボードのデッキ面のクラックを予防する保護フィルムであって、フィルム本体の裏面に貼り付けてなる剥離シートに、各サイズのサーフボードの寸法に合わせた加工線を表示してなることを特徴とするサーフボードデッキ面用保護フィルム。
【請求項３】
フィルム本体が、サーフボードのデッキ面の５０％以上を保護してなることを特徴とする請求項１又は２記載のサーフボードデッキ面用保護フィルム。
【請求項４】
サーフボードのデッキ面の汚れを落とす汚れ除去工程と、デッキ面に水を吹き付け、カットされたフィルム本体をサーフボードのデッキ面の所要位置に仮止する仮止工程と、仮り止めされたフィルム本体をヘラで伸ばして固着する貼付工程とからなることを特徴とするサーフボードデッキ面用保護フィルムの貼付方法。
【発明の詳細な説明】
【技術分野】
【０００１】  本発明は、主にサーフボードのデッキ面のクラックを予防し、海水の浸水を防止するサーフボードデッキ面用保護フィルム及びサーフボードデッキ面用保護フィルムの貼付方法に関するものである。
【背景技術】
【０００２】  従来の技術として、同様なものはないが、例えば可塑性樹脂弾性材からなり、肉厚が周縁部から中央部にかけて漸次厚くなる偏肉状の上面と、サーフボードの表面に貼着するための接着剤を塗布した平面状の下面とからなることを特徴とする、サーフボードの表面保護具がある。（特許文献１参照）【０００３】  また、他の従来の技術としては、基材シートの一面に高分子短繊維を植毛面を有し、基材シートの他面にサーフボードのデッキ面（上面）と粘着させる為の粘着剤面を有することを特徴とするサーフボード用滑り止めシートがある。（特許文献２参照）
【先行技術文献】
【特許文献】
【０００４】
【特許文献１】  実用新案登録第３０６６１４３号公報
【特許文献２】  特開２００９−２６９４３６号公報
【発明の概要】
【０００５】  上記前者は、サーフボード用の滑り止めシートであり、本発明のようなサーフボードの表面のクラックを予防する機能・効果は有していない。
【０００６】  また、上記後者は、サーフボードの前後に貼り付ける凸状の表面保護具であり、これもまた、本発明のようなサーフボードの表面のクラックを予防する機能・効果は有していない。
【０００７】  本発明は、このような従来の構成が有していた問題を解決しようとするものであり、フィルム本体をサーフボードのデッキ面に貼り付けることによりクラックの発生を予防すると共に、大きな衝撃により、デッキ面にクラックが発生しても海水が入り込むのを防止するもので、サーフボード内のフォーム（発泡スチロール等）の上面にコーティングしたガラス繊維（２〜３層）との間の空間に海水が入り込みデッキ面のガラス繊維が剥離が剥離し、内部を破壊する。
よって、これを防止（予防）する本発明は、市場のニーズに対応したものである。
【課題を解決するための手段】
【０００８】  本発明は、上記目的を達成するためにサーフボードのデッキ面のクラックを予防する保護フィルムであって、フィルム本体の裏面に貼付面を設けると共に、フィルム本体をサーフボードの形状に加工してなること。サーフボードのデッキ面のクラックを予防する保護フィルムであって、フィルム本体の裏面に貼り付けてなる剥離シートに、各サイズのサーフボードの寸法に合わせた加工線を表示してなること。フィルム本体が、サーフボードのデッキ面の５０％以上を保護してなること。サーフボードのデッキ面の汚れを落とす汚れ除去工程と、デッキ面に水を吹き付け、カットされたフィルム本体をサーフボードのデッキ面の所要位置に仮止する仮止工程と、仮り止めされたフィルム本体をヘラで伸ばして固着する貼付工程とからなることを特徴とするサーフボードデッキ面用保護フィルムの貼付方法。
【発明の効果】
【０００９】１）、フィルム本体をサーフボードのデッキ面に貼り付けることにより、運搬中の打こんや使用時の自重（体重による）による押圧こんによる表面のガラス繊維にクラックが発生するのを防止（予防）し、クラックが発生した場合もそこから入り込む海水による内部剥離を防止することができる。
２）、フィルム本体をサーフボードの形状に加工してなることにより、すぐに貼り付けることができる。
３）、フィルム本体を各サイズのサーフボードの寸法に合わせた加工線を表示することにより、自分の所有しているサーフボードのサイズに合わせてカットすることにより、簡単に貼り付けることができる。
４）、サーフボード用保護フィルムの貼付方法により、特別な技術を必要とせず、誰でも簡単に貼り付けることができる。
【図面の簡単な説明】
【００１０】
【図１】  本発明の第１実施例を示すサーフボードデッキ面用保護フィルムの平面図。
【図２】  本発明の第２実施例を示すサーフボードデッキ面用保護フィルムの裏面図。
【図３】  本発明の一実施例を示すサーフボードデッキ面用保護フィルムの貼付方法の除去工程図。
【図４】  本発明の一実施例を示すサーフボードデッキ面用保護フィルムの貼付方法の仮止工程図。
【図５】  本発明の一実施例を示すサーフボードデッキ面用保護フィルムの貼付方法の貼付工程図。
【発明を実施するための形態】
【００１１】  サーフボードデッキ面用保護フィルム１は、サーフボードのデッキ面のクラックを予防（防止）する保護フィルムであって、ポリエステルフィルムによる裏面に接着剤をコーティングしてなる貼付面２ａを設けたフィルム本体２と、接着剤に貼り付けてなる剥離シート３とからなり、少なくともフィルム本体２をサーフボードの形状（外形）に加工してなるものである。
【００１２】  サーフボードデッキ面用保護フィルム２１は、同様な形態のフイルム本体２２（貼付面２２ａ）と剥離シート２３から構成し、剥離シート２３面に、各サイズのサーフボードの寸法に合わせた加工線Ｋ１・Ｋ２・Ｋ３を表示してある。
一例として、加工線Ｋ１・Ｋ１間を５０ｃｍ、加工線Ｋ２・Ｋ２間を４８ｃｍ、加工線Ｋ３・Ｋ３間を４６ｃｍとする。（上下対称とする）
【００１３】  つぎに、サーフボードデッキ面用保護フィルムの貼付方法について説明する。
１）、汚れ除去工程として、サーフボードＳのデッキ面Ｄの汚れを、洗剤入りのスプレーＳＰを吹き付け、タオルＴにて拭き取り汚れを除去する。
２）、仮止工程として、デッキ面ＤにスプレーＳＰ１（フィルム本体２・２２）にて水Ｍを吹き付け、カットされたサーフボードデッキ面用保護フィルム１・２１のフィルム本体２・２２から剥離シート３・２３を剥し、サーフボードＳのデッキ面Ｄの所要位置し特にサーファー（図示せず）の乗る場所に仮り止めする。
３）、貼付工程として、仮り止めされたフィルム本体２・２２をヘラＨで、水Ｍ１や空気Ｋを外側へ押し出し貼り付ける。
【００１４】  上記実施例において、サーフボードデッキ面用保護フィルムの材質や厚み等は、必要に応じて決めればよい。
また、フィルム本体の大きさは、サーフボード（デッキ面）の５０％以上が望ましく、７０％〜８０％が適当と思われる。
【符号の説明】
【００１５】１―――サーフボードデッキ面用保護フィルム
２―――フィルム本体
２ａ――貼付面
３―――剥離シート
Ｋ１――加工線
Ｋ２――加工線
Ｋ３――加工線
Ｓ―――サーフボード
【図１】
2013071727.tif 000003
【図２】
2013071727.tif 000004
【図３】
2013071727.tif 000005
【図４】
2013071727.tif 000006
【図５】
2013071727.tif 000007